(57)【要約】  ころ軸受け保持器であって、ころの外周面に直接に対峙するために設けられた面を有する少なくとも１つのウェブエレメント（１４）が設けられており、前記面が、潤滑剤を保持するための、略舟形状の巨視的な多数の凹部を備えて形成されており、前記凹部が、ころの周方向で、周方向の少なくとも一方の端部に向かって、縮小する幅および／または深さを備えて形成されており、前記面に複数の凹部（１６；１６’，１７’，１８’）が配置されており、複数の凹部のうち第１のグループが、実質的に一方の端部に向かって縮小していて、第２のグループが他方の端部に向かって縮小していることを特徴とする。
2012506983.tif 000002
【特許請求の範囲】
【請求項１】
ころ軸受け保持器であって、
ころの外周面に直接に対峙するために設けられた面を有する少なくとも１つのウェブエレメントが設けられており、
前記面が、潤滑剤を保持するための、略舟形状の巨視的な多数の凹部を備えて形成されており、
前記凹部が、ころの周方向で、周方向の少なくとも一方の端部に向かって、縮小する幅および／または深さを備えて形成されており、
前記面に複数の凹部が配置されており、複数の凹部のうち第１のグループが、実質的に一方の端部に向かって縮小していて、第２のグループが他方の端部に向かって縮小していることを特徴とする、ころ軸受け保持器。
【請求項２】
互いに異なって縮小する前記凹部が、前記ウェブエレメントの長手方向で交互に配置されている、請求項１記載のころ軸受け保持器。
【請求項３】
前記凹部の長手方向の延びが、ころの周方向に対して接線方向または斜めに方向付けられている、請求項１または２記載のころ軸受け保持器。
【請求項４】
互いに異なって方向付けられた凹部が、前記ウェブエレメントの中央に関して対称的に配置されている、請求項３記載のころ軸受け保持器。
【請求項５】
前記凹部の深さが、約０．０５ｍｍ、特に約０．１ｍｍよりも大きく形成されている、請求項１から４までのいずれか１項記載のころ軸受け装置。
【請求項６】
前記凹部が、ころ周方向での前記面の延在長さの大部分、特に９０％〜５０％にわたって延びるように形成されている、請求項１から５までのいずれか１項記載のころ軸受け保持器。
【請求項７】
複数のウェブエレメントが、保持器の少なくとも１つの環状の周方向エレメントに材料接続式に結合されている、請求項１から６までのいずれか１項記載のころ軸受け保持器。
【請求項８】
前記材料接続式の結合のために前記エレメントを互いに規定通りに位置決めするために、周方向エレメントにおけるウェブエレメントの位置が周方向エレメントの周方向および／または軸方向で予め規定されているように、前記エレメントが互いに調整された形状付与部を備えて形成されている、請求項７記載のころ軸受け保持器。
【請求項９】
前記エレメントが、鉄材料を含んでおり、前記材料接続式の結合が、溶接を含んでいる、請求項７または８記載のころ軸受け保持器。
【請求項１０】
前記周方向エレメントと、前記ウェブエレメントとが、互いに異なる特性を備えて形成されている、請求項７から９までのいずれか１項記載のころ軸受け保持器。
【請求項１１】
前記ウェブエレメントの１つの少なくとも１つの区分の横断面が台形状である、請求項１から１０までのいずれか１項記載のころ軸受け保持器。
【請求項１２】
前記台形の側面が、ころに適合して円弧状に形成されている、請求項１１記載のころ軸受け保持器。
【請求項１３】
ウェブエレメントが、相応に異形成形された棒状材料または帯状材料から切断されている、請求項１から１２までのいずれか１項記載のころ軸受け保持器。
【請求項１４】
ころ軸受け保持器が、特に円筒ころ軸受け、円錐ころ軸受け、または自動調心ころ軸受けのために形成されている、請求項１から１３までのいずれか１項記載のころ軸受け保持器。
【発明の詳細な説明】
【技術分野】
【０００１】
本発明は、ころ軸受け保持器に関する。
【０００２】
公知先行技術に基づいて、保持器を備えた潤滑される転がり軸受けにおいて、転がり軸受けの転動体接触領域および滑り接触領域での十分な潤滑剤の供給を、生涯潤滑、つまり潤滑剤の補給がない場合にも保証するための多くの措置が知られている。
【０００３】
本発明の課題は、特に潤滑剤供給に関して改善されたころ軸受け保持器を提供することである。
【０００４】
上記課題は、請求項１に記載されたころ軸受け保持器により解決される。有利な実施形態は請求項２以下に記載されている。
【０００５】
請求項１によれば、ころ軸受け保持器が以下の特徴を有している；すなわち、
−ころの外周面に直接に対峙するために設けられた面を備えた少なくとも１つのウェブエレメントが設けられており、
−前記面が、潤滑剤を保持するための、略舟形状の巨視的な多数の凹部を備えて形成されており、
−前記凹部が、ころの周方向で、周方向の少なくとも一方の端部に向かって、縮小する幅および／または深さを備えて形成されており、
−前記面に、複数の凹部が配置されており、該凹部のうちの第１のグループが実質的に一方の端部に向かって縮小しており、第２のグループが他方の端部に向かって縮小している。
【０００６】
上記構成において、本発明は、本発明によるウェブエレメントの構成によって、生涯潤滑の場合でもころ軸受けの十分な潤滑剤供給が支援されるという認識に基づいている。
【０００７】
凹部が、ころの回転方向でその幅および／または深さを縮小されて形成されていることによって、ころ軸受けの作動時に、凹部内に保持された潤滑剤が、凹部でほぼ回転方向で連続的に縮小する容積区分に基づいて凹部から出て、ころの回転方向に搬送され、これにより、潤滑膜に好ましい影響が及ぼされる。このことが、ころ軸受けの回転方向と無関係に機能するように、その縮小方向に関して互いに異なる凹部が、ウェブエレメントの長手方向で特に交互に設けられている。
【０００８】
本発明の別の利点、特徴、詳細は、以下に図面につき説明する本発明の実施形態から明らかになる。
【図面の簡単な説明】
【０００９】
【図１】凹部を有するウェブエレメントのための突入部を備える２つの周方向エレメントを有する円筒ころ軸受けの斜視図である。
【図２】図１に示したウェブエレメントの１つを示す斜視図である。
【図３】択一的なウェブエレメントの斜視図である。
【図４】図３に示したウェブエレメントを、円筒ころ軸受けの円筒ころの外周面に直接に対峙するために設けられた面の上から見た平面図で、隣接する２つの凹部のＥ−Ｅ線およびＦ−Ｆ線で示された２つの断面と共に示す図である。
【００１０】
図１は、本発明の１つの実施形態として、円筒ころ軸受け保持器を斜視図で示している。この円筒ころ軸受け保持器は、一貫した台形の横断面を有するウェブエレメント１４のための突入部１２を備えた２つの周方向エレメント１１を有している。この場合、周方向エレメント１１に設けられた突入部１２は、当該突入部１２に相応して成形されたウェブエレメント１４と相俟って、周方向エレメント１１におけるウェブエレメント１４の溶接のために周方向エレメント１１とウェブエレメント１４とを組み立てる場合に、ウェブエレメント１４を周方向エレメント１１の周方向で予め位置決めするために働く。
【００１１】
この場合、周方向エレメント１１およびウェブエレメント１４は、鉄材料、特に鋼線から製造されている。しかし、別の実施形態では、別の材料を使用することもでき、溶接の代わりに、ろう接または接着が実施されてもよい。さらに、特にウェブエレメント１４も、特別な滑り特性を得るために、特に転動体に向かった接触面の領域でコーティングを備えて形成されていてもよい。
【００１２】
この場合、ウェブエレメント１４の、ころの外周面に直接に対峙するために設けられた面は、潤滑剤を保持するための凹部１６を備えている。この場合、凹部１６は、略舟形状に、いわば滴形に形成されている、つまり凹部１６の幅および／または深さは、一方の端部に向かって緩やかに縮小しており、他方の端部に向かって急激に縮小している。
【００１３】
図２は、凹部１６を備えたウェブエレメント１４の１つを拡大した斜視図で示している。この場合、凹部１６は、ウェブエレメント１４の軸方向左半部（図面では左下側部分）で斜めに、右側の保持器領域（図面では右上端部）から斜めに保持器中心点に向かって延びる線に対して平行に配置されている。右半部（図面では右上側部分）では相応に鏡像対称に形成されており、中央では１つの凹部１６が半径方向に向けられている。
【００１４】
図３は、本発明の別の実施形態として、図１および図２に示したウェブエレメント１４に対する択一的な実施形態を示すウェブエレメント１４’を斜視図で示している。図４は、図３に示したウェブエレメント１４’を、円筒ころ軸受けの円筒ころの１つの外周面に直接に対峙するために設けられた面の上から見た平面図で、隣接する２つの凹部１６’および１８’のＥ−Ｅ線およびＦ−Ｆ線で示された２つの断面と共に示している。
【００１５】
この場合、ウェブエレメントの上述の面は、３種類の略舟形状の凹部１６’，１７’および１８’を有している。この場合、全ての凹部１６’，１７’は、ころの周方向で、実質的に周方向の一方の端部に向かって、緩やかに縮小する幅および深さを備えているように一致して形成されている。図４の中央の図面に関連して、凹部１６’，１７’は、いわばほぼ右側に向かって緩やかに縮小しており、凹部１８’は、左側に向かって緩やかに縮小している。この場合、凹部１６’および凹部１８’の長手方向の延びは、ころの周方向に対して斜めに方向付けられている。この場合、凹部１６’は、凹部１８’に対して、上記周方向に対して同じ鋭角だけ、しかし逆方向に傾斜させられている。凹部１７’の両側で、凹部１６’は確かに同じ角度ではあるが、しかし逆方向に傾斜している。このことは凹部１８’にも当てはまる。凹部１７’だけが、ころの周方向で接線方向に方向付けされている。凹部１６’および１８’は、交互に、かつ凹部１７’に関して軸線対称に配置されている。
【００１６】
円筒ころのサイズに応じて、凹部１６’，１７’および１８’の深さは、１０分の数ミルメートルから数ミリメートルの範囲で変化する。この場合、凹部１６’，１７’および１８’は、ころの周方向での面の延在長さの大部分、特に９０％〜５０％にわたって延びるように形成されている。
【図１】
2012506983.tif 000003
【図２】
2012506983.tif 000004
【図３】
2012506983.tif 000005
【図４】
2012506983.tif 000006
【国際調査報告】
2012506983.tif 000007
2012506983.tif 000008
2012506983.tif 000009
2012506983.tif 000010